(57)【要約】【課題】出射面を上向きで使用した場合でも、出射面を覆う透光性カバーの上に雨水等の水が溜まるのを防ぐことができる照明器具を提供する。【解決手段】器具本体１０は、照射開口６２の周縁に、一体に形成されたフランジ部６４を備え、フランジ部６４には、照射開口６２の周囲に防水パッキン６７が設けられ、器具本体１０の内部は、透光性カバー４０とフランジ部６４との間で防水パッキン６７が押圧されて防水され、透光性カバー４０と、カバー押さえ４１との間には、複数の隙間８０が設けられており、隙間８０からフランジ部６４に水を通して、当該フランジ部６４から水が排水される。【選択図】図４
2018073717.tif 000002
【特許請求の範囲】
【請求項１】
照射開口を有する器具本体と、前記器具本体の内部に設置された発光ダイオード光源と、前記照射開口を覆う透光性カバーと、前記透光性カバーを囲む枠状に形成され、前記透光性カバーを前記器具本体に固定するカバー押さえと、を備えた照明器具であって、
前記器具本体は、前記照射開口の周縁に、一体に形成されたフランジ部を備え、
前記フランジ部には、前記照射開口の周囲に防水パッキンが設けられ、
前記器具本体の内部は、前記透光性カバーと前記フランジ部との間で前記防水パッキンが押圧されて防水され、
前記透光性カバーと、前記カバー押さえとの間には、複数の隙間が設けられており、
前記隙間から前記フランジ部に水を通して、当該フランジ部から水が排水される
ことを特徴とする照明器具。
【請求項２】
前記フランジ部は、前記照射開口の縁に沿って堤防状に設けられた堰止部を有し、前記防水パッキンは、前記堰止部の高さよりも大きな径を有し、前記堰止部の周囲に設けられていることを特徴とする請求項１に記載の照明器具。
【請求項３】
前記フランジ部は、外縁に出射方向に向かって立設された外輪壁を有し、当該外輪壁と前記堰止部とによって樋状に形成され、
前記透光性カバーと、前記カバー押さえとの間の前記隙間から樋状のフランジ部内部に侵入した水は、当該樋状のフランジ部内部に集められて排水されることを特徴とする請求項１または２に記載の照明器具。
【請求項４】
前記照射開口、前記透光性カバー、及び、前記カバー押さえは、平面視略矩形状であり、前記隙間は、枠状の前記カバー押さえの各辺に設けられていることを特徴とする請求項１乃至３のいずれかに記載の照明器具。
【請求項５】
前記照射開口、前記透光性カバー、及び、前記カバー押さえは、平面視略矩形状であり、前記隙間は、枠状の前記カバー押さえの角部に設けられていることを特徴とする請求項１乃至３のいずれかに記載の照明器具。
【請求項６】
前記カバー押さえは、枠の内周縁に沿って設けられ裏面から突出して前記透光性カバーを前記防水パッキンを介して前記フランジ部に押しつける押え部を複数備え、
前記隙間は、隣合う前記押え部間の隙間であることを特徴とする請求項１乃至５の何れかに記載の照明器具。
【請求項７】
前記押え部は、前記カバー押さえの枠の内周縁に設けられた折曲片をヘミング加工によって折り曲げて形成されていることを特徴とする請求項６に記載の照明器具。
【請求項８】
前記透光性カバーは、表面が中心部から外周縁に向けて傾斜していることを特徴とする請求項１乃至７の何れかに記載の照明器具。
【発明の詳細な説明】
【技術分野】
【０００１】
本発明は、ＬＥＤ等の発光素子を光源として備える照明器具に関する。
【背景技術】
【０００２】
従来、看板などの平面的な照射面を照射する所謂投光器として用いられる照明器具が知られている（例えば、特許文献１参照）。このような照明器具は、出射開口を、透光性を有するガラスなどの部材により形成されたカバーで覆うと共に、カバーの外縁を枠体で囲って、当該枠体によりカバーを器具本体に取り付けている。
また、このような照明器具は、屋外で用いられるのが一般的であり、防水構造とする必要がある。そのため、出射開口を覆うカバーの外縁を全周に亘って略Ｕ字状のパッキンで囲み、当該パッキンによって、カバーの外縁を保護すると共に、枠体とカバー、及び、カバーと器具本体との間の防水を図っている照明器具が知られている（例えば、特許文献２参照）。
【０００３】
ところで、所謂投光器として用いられる照明器具では、出射面を上向きで使用することもある。このような照明器具は、特許文献１、及び、特許文献２記載のように、カバーの外縁を囲う枠体で、カバーを器具本体に取りつけている構成のため、出射面を上向きで使用した場合、雨水などがカバー上面に溜まってしまう構成になっている。このように、カバー上面に雨水が溜まった場合には、溜まった水によって照度ムラが発生する等光特性に影響を与え、また、カバーに水垢が発生して汚れる等の不具合が発生していた。
そこで、特許文献２に記載の照明器具では、カバー上面に付着した雨水による不具合の発生を抑制するために、枠体に溝を設けて、この溝を介してカバー上面から雨水を排水するように構成している。
【先行技術文献】
【特許文献】
【０００４】
【特許文献１】特開２０１４−２０３５４８号公報
【特許文献２】特開２０１４−１７９２１２号公報
【発明の概要】
【発明が解決しようとする課題】
【０００５】
しかしながら、カバーの外縁を囲うパッキンが所謂土手のように作用して、カバー上面に雨水が溜まり、光特性に影響が出たり、カバーに水垢等の汚れが発生してしまったりするという問題があった。
【０００６】
本発明は、上述した事情に鑑みてなされたものであり、出射面を上向きで使用した場合でも、出射面を覆う透光性カバーの上に雨水等の水が溜まるのを防ぐことができる照明器具を提供することを目的とする。
【課題を解決するための手段】
【０００７】
上述した目的を達成するために、本発明は、照射開口を有する器具本体と、前記器具本体の内部に設置された発光ダイオード光源と、前記照射開口を覆う透光性カバーと、前記透光性カバーを囲む枠状に形成され、前記透光性カバーを前記器具本体に固定するカバー押さえと、を備えた照明器具であって、前記器具本体は、前記照射開口の周縁に、一体に形成されたフランジ部を備え、前記フランジ部には、前記照射開口の周囲に防水パッキンが設けられ、前記器具本体の内部は、前記透光性カバーと前記フランジ部との間で前記防水パッキンが押圧されて防水され、前記透光性カバーと、前記カバー押さえとの間には、複数の隙間が設けられており、前記隙間から前記フランジ部に水を通して、当該フランジ部から水が排水されることを特徴とする。
【０００８】
また、本発明は、上記照明器具において、前記フランジ部は、前記照射開口の縁に沿って堤防状に設けられた堰止部を有し、前記防水パッキンは、前記堰止部の高さよりも大きな径を有し、前記堰止部の周囲に設けられていてもよい。
【０００９】
また、本発明は、上記照明器具において、前記フランジ部は、外縁に出射方向に向かって立設された外輪壁を有し、当該外輪壁と前記堰止部とによって樋状に形成され、前記透光性カバーと、前記カバー押さえとの間の前記隙間から樋状のフランジ部内部に侵入した水は、当該樋状のフランジ部内部に集められて排水されてもよい。
【００１０】
また、本発明は、上記照明器具において、前記照射開口、前記透光性カバー、及び、前記カバー押さえは、平面視略矩形状であり、前記隙間は、枠状の前記カバー押さえの各辺に設けられてもよい。
【００１１】
また、本発明は、上記照明器具において、前記照射開口、前記透光性カバー、及び、前記カバー押さえは、平面視略矩形状であり、前記隙間は、枠状の前記カバー押さえの角部に設けられてもよい。
【００１２】
また、本発明は、上記照明器具において、前記カバー押さえは、枠の内周縁に沿って設けられ裏面から突出して前記透光性カバーを前記防水パッキンを介して前記フランジ部に押しつける押え部を複数備え、前記隙間は、隣合う前記押え部間の隙間であってもよい。
【００１３】
また、本発明は、上記照明器具において、前記押え部は、前記カバー押さえの枠の内周縁に設けられた折曲片をヘミング加工によって折り曲げて形成されてもよい。
【００１４】
また、本発明は、上記照明器具において、前記透光性カバーは、表面が中心部から外周縁に向けて傾斜していてもよい。
【発明の効果】
【００１５】
本発明によれば、透光性カバーの表面からフランジ部の内部に段差なく水が流れる経路を確保することができ、器具本体１０を防水構造とするとともに、透光性カバーの表面に水が溜まるのを防ぐことができる。
【図面の簡単な説明】
【００１６】
【図１】本発明の実施形態の照明器具を正面側から示す斜視図である。
【図２】照明器具の内部構成を示す図であり、図１のＩ−Ｉ断面図である。
【図３】照明器具の分解斜視図である。
【図４】カバー押さえを裏面側から示す平面図である。
【図５】照明器具の部分断面図である。
【図６】隙間の構成を示す部分拡大斜視図である。
【発明を実施するための形態】
【００１７】
以下、図面を参照して本発明の実施形態について説明する。
図１は本実施形態に係る照明器具１の斜視図である。図２は照明器具１を図１のＩ−Ｉ線で切断した断面図である。図３は、照明器具１の分解斜視図である。
照明器具１は、平面状の照射面を照明するために用いることができる所謂投光器であり、例えば看板用照明として用いることができる。照明器具１は、図１〜図３に示すように、器具本体１０を備え、器具本体１０を挟むように設けられた取付アーム２５によって、所定の取り付け箇所に回動自在に取り付けられる。
【００１８】
図２に示すように、器具本体１０は、一方の面が開口する有底の矩形箱状の筐体６０と、この筐体６０の内部に設けられる発光ダイオード光源１２と、を備えている。発光ダイオード光源１２は、発光素子の一例たるＬＥＤ素子をＬＥＤ基板１２Ｂの上に密集配置して面状の発光部１２Ａを形成した高出力型の発光ダイオードである。発光ダイオード光源１２には、チップオンボード（ＣＯＢ）型のＬＥＤを好適に用いることができる。
【００１９】
筐体６０の底部には、発光ダイオード光源１２が、筐体６０の長手方向に沿って、複数（本実施形態では３つ）並べて配置されている。さらに、筐体６０の内部には、発光ダイオード光源１２の配光を制御する椀状の反射鏡１４が発光ダイオード光源１２の夫々に対して設けられている。筐体６０は、反射鏡１４が内部に納まる適宜の深さに形成される。発光ダイオード光源１２は、反射鏡１４の底部１５に配置され、発光部１２Ａを反射鏡１４の底部１５の開口１５Ａに臨ませて配置されている。
【００２０】
筐体６０の底面６１には、各発光ダイオード光源１２に対応する位置に放熱部材１８が取り付けられている。放熱部材１８は、熱伝導性に優れた材料から形成され、例えばアルミダイキャスト製とすることができる。放熱部材１８は、基部１８Ａと、基部１８Ａの裏面に立設された複数の放熱フィン１８Ｂとが一体に形成されている。基部１８Ａの表面には、発光ダイオード光源１２が配設される光源載置部１８Ｃが凹状に形成されている。
【００２１】
発光ダイオード光源１２は、凹み状の光源載置部１８ＣにＬＥＤ基板１２Ｂが配設されている。筐体６０の底面６１には、表裏を貫通する孔１６が設けられている。発光ダイオード光源１２は、放熱部材１８の光源載置部１８Ｃ内に配設されて、発光部１２Ａを孔１６を介して器具本体１０内に臨ませている。放熱部材１８は、底面６１の孔１６を水密に塞ぐように、例えば防水パッキンなどを筐体６０との間に介在させて、筐体６０に取り付けられている。
【００２２】
図２、図３に示すように、筐体６０の前面側には、発光ダイオード光源１２の発光面に対向する照射開口６２が備えられている。照射開口６２は、ガラスなどの光透過性部材から形成された矩形形状の透光性カバー４０で覆われている。
筐体６０には、照射開口６２の周縁に、径方向に張り出すように形成されたフランジ部６４が設けられている。筐体６０は、板金を塑性加工して形成されており、フランジ部６４は、筐体６０と一体に形成されている。なお、筐体６０は、板金から形成される他に、アルミダイキャスト製である構成であっても良い。
【００２３】
筐体６０には、照射開口６２の縁に沿って堰止部６５が設けられている。堰止部６５は、フランジ部６４と、照射開口６２との境に堤防状に設けられ、板金部材をスポット溶接で照射開口６２の縁に沿って固定して構成されている。
また、フランジ部６４の外縁は、堰止部６５の立設方向と同じ方向、つまり、照明器具１の出射方向に向かって立ち上げられて、外輪壁６６を構成している。フランジ部６４は、内縁に沿って設けられた堰止部６５と、外縁に設けられた外輪壁６６とによって樋状に形成されている。
【００２４】
フランジ部６４には、堰止部６５の周りを囲む防水パッキン６７が設けられている。防水パッキン６７は、堰止部６５の周りに配設されることで、照射開口６２を囲繞している。防水パッキン６７は、線径（太さ）が堰止部６５の高さよりも大きく設定されている（図５参照）。
透光性カバー４０は、筐体６０の前面側から、透光性カバー４０を囲む矩形枠状に形成されたカバー押さえ４１によって筐体６０に固定されている。カバー押さえ４１は、板金を折り曲げて形成され、外周縁部４７がフランジ部６４の外輪壁６６の外側に被せられるような形状になっている。
【００２５】
図３に示すように、フランジ部６４には、カバー押さえ４１をねじ止めするための突設部６９が底部６４Ａから突設されている。突設部６９は、カバー押さえ４１の前面に設けられたねじ孔４１Ａに対応する位置に設けられ、ねじ孔４１Ａに挿入されたねじ（図１参照）を受ける固定孔６９Ａを備えている。カバー押さえ４１は、フランジ部６４に、複数箇所ねじ止めされて固定され、例えば、長手の各辺の３か所、短手の各辺の２カ所でねじ止めされている。カバー押さえ４１と、透光性カバー４０との間には、金属のカバー押さえ４１が、透光性カバー４０と直接干渉することによる透光性カバー４０への影響を抑えるための干渉部材４６を設けた構成であっても良い。
【００２６】
図４は、カバー押さえ４１の構成を示す図であり、カバー押さえ４１を下面側から示す平面図である。図４に示すように、カバー押さえ４１の内周縁部４２Ａには、四辺の夫々に一体に形成された折曲片４３が設けられている。折曲片４３は、カバー押さえ４１の内周縁部４２Ａの各辺の少なくとも一部から枠の内径方向に延びている。カバー押さえ４１には、折曲片４３を、カバー押さえ４１の下面側に折り込むように曲げて形成された押え部４４が設けられている。
【００２７】
押え部４４は、折曲片４３を例えばヘミング加工によって折り曲げて形成されている。押え部４４は、カバー押さえ４１の内周縁部４２Ａの各角部４５を除いた位置に設けられ、各辺の押え部４４は、隣り合う角部間で、一方の角部４５から他方の角部４５まで連続した形状となっている。なお、押え部４４は、折曲片４３をヘミング加工によって折り曲げて形成する構成に限らず、カバー押さえ４１の下面に、一体、又は、別体に形成した部材を突設させている構成であっても良い。
【００２８】
図５は、カバー押さえ４１と、透光性カバー４０と、フランジ部６４との配置構成を示す部分断面拡大図である。図５に示すように、フランジ部６４の突設部６９に、カバー押さえ４１をねじ止めして固定すると、透光性カバー４０は、カバー押さえ４１の押え部４４によって、防水パッキン６７に対して押さえ付けられて保持される。透光性カバー４０は、カバー押さえ４１の押え部４４と表面４０Ａとの間に配設された干渉部材４６と、フランジ部６４と裏面４０Ｂとの間に配設された防水パッキン６７との間に挟まれた状態で保持されている。防水パッキン６７は、透光性カバー４０がカバー押さえ４１によって押し付けられても、その高さが堰止部６５の高さよりも高くなるように構成されている。
【００２９】
図６は、照明器具１の部分拡大図であり、カバー押さえ４１の角部４５近傍を示す斜視図である。上述したように、カバー押さえ４１には、内周縁部４２Ａの各角部４５を除いた位置に押え部４４が形成されている。つまり、角部４５には、押え部４４が形成されておらず、カバー押さえ４１と透光性カバー４０との間から、フランジ部６４の内部に連通する隙間８０が設けられている。
【００３０】
照明器具１が、照射方向を略鉛直方向上向きで設置された場合には、カバー押さえ４１と透光性カバー４０との段差によって、カバー押さえ４１に囲まれた透光性カバー４０の表面４０Ａ上に雨水等の水が溜まることがある。本実施形態の照明器具１では、透光性カバー４０の表面４０Ａから、雨水等の水が、カバー押さえ４１の各角部４５に設けられた、カバー押さえ４１と透光性カバー４０との間の隙間８０からフランジ部６４の内部に導かれる。なお、図示は省略するが、透光性カバー４０は、表面４０Ａが中心部から外周縁部４７に向けて下方に傾斜し、これによって、透光性カバー４０の表面４０Ａから、雨水等の水を隙間８０に導きやすくしている構成であっても良い。
【００３１】
フランジ部６４には、底面６４Ａや外輪壁６６に表裏に貫通する排水孔６８が設けられている。カバー押さえ４１と透光性カバー４０との間の隙間８０からフランジ部６４の内部に導かれた雨水等の水は、樋状のフランジ部６４の内側に集められて、排水孔６８から排水される。
【００３２】
器具本体１０の内部は、透光性カバー４０とフランジ部６４との間で押圧された防水パッキン６７によって水密に構成されている。これによって、フランジ部６４の内側に集められた雨水等の水が器具本体１０に侵入することがなく、器具本体１０の内部の防水を保つことができる。
【００３３】
なお、照明器具１が、照射方向を下向きで設置された場合には、カバー押さえ４１と、フランジ部６４の外輪壁６６との間の隙間からフランジ部６４の内側に水が進入する場合がある。この場合でも、フランジ部６４内の水は、防水パッキン６７によって防水された筐体６０内部には浸水することがなく、カバー押さえ４１と透光性カバー４０との間の隙間８０から照明器具１の外部に排水される。よって、照明器具１は、照射方向を如何なる方向に向けて設置されても、雨水等の水が、透光性カバー４０の表面４０Ａ上や、フランジ部６４内部に溜まるのを防止することができる。
【００３４】
以上説明したように、本実施形態によれば、照射開口６２を有する器具本体１０と、器具本体１０の内部に設置された発光ダイオード光源１２と、照射開口６２を覆う透光性カバー４０と、透光性カバー４０を囲む枠状に形成され、透光性カバー４０を器具本体１０に固定するカバー押さえ４１と、を備えた照明器具１であって、器具本体１０は、照射開口６２の周縁に、一体に形成されたフランジ部６４を備え、フランジ部６４には、照射開口６２の周囲に防水パッキン６７が設けられ、器具本体１０の内部は、透光性カバー４０とフランジ部６４との間で防水パッキン６７が押圧されて防水され、透光性カバー４０と、カバー押さえ４１との間には、複数の隙間８０が設けられており、隙間８０からフランジ部６４に水を通して、当該フランジ部６４から水が排水される。
【００３５】
この構成によれば、透光性カバー４０の表面４０Ａからフランジ部６４の内部に段差なく、水が流れる経路を確保することができるため、透光性カバー４０の表面４０Ａに水が溜まることがない。これによって、透光性カバー４０の表面４０Ａに溜まった水が揺らめいて照度ムラが発生する等、光特性に影響が出ることがない。また、透光性カバー４０の表面４０Ａから隙間８０を通してフランジ部６４の内部に集めてフランジ部６４から排水するとともに、照射開口６２の周囲に設けた防水パッキン６７を、透光性カバー４０とフランジ部６４との間で押圧して、器具本体１０を防水構造とすることができる。
【００３６】
また、本実施形態によれば、フランジ部６４は、照射開口６２の縁に沿って堤防状に設けられた堰止部６５を有し、防水パッキン６７は、堰止部６５の高さよりも大きな径を有し、堰止部６５の周囲に設けられている。この構成によれば、パッキンを配設する溝などを形成することがなく、照射開口６２の縁に沿って防水パッキン６７を配設させることができ、照射開口６２を水密に閉封することができる。また、防水パッキン６７は、堰止部６５の高さよりも大きな径を有するため、防水パッキン６７を透光性カバー４０で押圧して、透光性カバー４０とフランジ部６４との間から器具本体１０の内部に浸水するのを防ぐことができる。
【００３７】
また、本実施形態によれば、フランジ部６４は、外縁に出射方向に向かって立設された外輪壁６６を有し、当該外輪壁６６と堰止部６５とによって樋状に形成され、透光性カバー４０と、カバー押さえ４１との間の隙間８０から樋状のフランジ部６４内部に侵入した水は、当該樋状のフランジ部６４の内部に集められて排水される。この構成によれば、透光性カバー４０の表面４０Ａに水が溜まるのを防ぐと共に、透光性カバー４０の表面４０Ａからフランジ部６４の内部に導かれた水を排水することができる。
【００３８】
また、本実施形態によれば、照射開口６２、透光性カバー４０、及び、カバー押さえ４１は、平面視略矩形状であり、隙間８０は、枠状のカバー押さえ４１の各辺に設けられている。この構成によれば、枠状のカバー押さえ４１の各辺に設けられた隙間８０の夫々を通して、透光性カバー４０の表面４０Ａから水をフランジ部６４の内側に導くことができ、照明器具１が照射方向を斜め上向きで設置された場合でも、透光性カバー４０の表面４０Ａに水が溜まるのを防ぐことができる。
【００３９】
また、本実施形態によれば、照射開口６２、透光性カバー４０、及び、カバー押さえ４１は、平面視略矩形状であり、隙間８０は、枠状のカバー押さえ４１の各角部４５に設けられている。この構成によれば、枠状のカバー押さえ４１の各角部４５に設けられた隙間８０を通して、透光性カバー４０の表面４０Ａから水をフランジ部６４の内側に導くことができ、照明器具１が照射方向を斜め上向きで設置された場合でも、透光性カバー４０の表面４０Ａに水が溜まるのを防ぐことができる。
【００４０】
また、本実施形態によれば、カバー押さえ４１は、枠の内周縁に沿って設けられ裏面から突出して、透光性カバー４０を防水パッキン６７を介してフランジ部６４に押しつける押え部４４を複数備え、隙間８０は、隣合う押え部４４間の隙間である。この構成によれば、カバー押さえ４１裏面から押え部４４が突出していない部分を隙間８０として構成することができ、隙間８０を形成するカバー押さえ４１を簡単に構成することができる。
【００４１】
また、本実施形態によれば、押え部４４は、カバー押さえ４１の枠の内周縁に設けられた折曲片４３をヘミング加工によって折り曲げて形成されている。この構成によれば、カバー押さえ４１を板金から形成している場合でも、カバー押さえ４１自体の強度を増加させて、押え部４４を簡単に形成することができる。
【００４２】
また、本実施形態によれば、透光性カバー４０は、表面４０Ａが中心部から外周縁に向けて傾斜している。この構成によれば、透光性カバー４０の表面４０Ａの水を隙間８０に効率よく導くことができ、透光性カバー４０の表面４０Ａに水が溜まるのを防ぐことができる。
【００４３】
なお、上述した実施の形態は、あくまでも本発明の一態様を示すものであり、本発明の趣旨を逸脱しない範囲で任意に変形及び応用が可能である。
例えば、上述した実施形態では、照明器具１は、箱状の筐体６０を備える矩形形状である構成としたが、照明器具の形状は矩形に限らず、例えば円形状や多角形状に形成されていても良い。
【符号の説明】
【００４４】
１  照明器具
１０  器具本体
１２  発光ダイオード光源
４０  透光性カバー
４１  カバー押さえ
４４  押え部
４５  角部
４６  干渉部材
６２  照射開口
６４  フランジ部
６５  堰止部
６６  外輪壁
６７  防水パッキン
６８  排水孔
８０  隙間
【図１】
2018073717.tif 000003
【図２】
2018073717.tif 000004
【図３】
2018073717.tif 000005
【図４】
2018073717.tif 000006
【図５】
2018073717.tif 000007
【図６】
2018073717.tif 000008